(57)【特許請求の範囲】
【請求項１】
熱可塑性樹脂のブロー成形によって形成される自動車用空調ダクトの製造方法であって、
型締め後、金型内のセンターベンチ差込み部形成用スライド１０を突き出して、
サイドベンチ部のセンターベンチ差込み部を深絞り成形することを特徴とする自動車用空調ダクトの製造方法
【請求項２】
請求項１におけるセンターベンチ差込み部の深絞り成形が、スライド機構によるセンターベンチ差込み部形成用スライドの突出しによるものであることを特徴とする請求項１記載の自動車用空調ダクトの製造方法
【請求項３】
請求項１または請求項２におけるサイドベンチ部のセンターベンチ差込み部にオス爪部を形成することを特徴とする請求項１または請求項２記載の自動車用空調ダクトの製造方法
【請求項４】
請求項３におけるオス爪部の形成が、スライド機構によるオス爪部形成用スライドの突出しによるものであることを特徴とする請求項３記載の自動車用空調ダクトの製造方法
【発明の詳細な説明】
【技術分野】
【０００１】
本発明は、自動車用空調ダクトの形成方法に関する。
【背景技術】
【０００２】
自動車用空調ダクトの形成方法に関する従来技術としては特許文献１に開示されているようなものがある。
【０００３】
しかしブロー成形用金型の型抜き上の制約から、空調ダクトのセンターベンチ部とサイドベンチ部を一体には形成困難な複雑な形状の場合には、特許文献１に開示されているような空調ダクトのセンターベンチ部とサイドベンチ部を一体に形成する方法ではブロー成形できないという欠点があった。
【先行技術文献】
【特許文献】
【０００４】
【特許文献１】特開２０１０−８２８４５号公報
【発明の概要】
【発明が解決しようとする課題】
【０００５】
解決しようとする課題は、ブロー成形用金型の型抜き上の制約から、空調ダクト１のセンターベンチ部とサイドベンチ部を一体には形成困難な複雑な形状の場合には、特許文献１に開示されているような空調ダクトのセンターベンチ部とサイドベンチ部を一体に形成する方法ではブロー成形できないという点である。
本発明は上記の点を解決するためになされた。
【課題を解決するための手段】
【０００６】
上記目的を果たすため本発明は、熱可塑性樹脂のブロー成形によって形成される自動車用空調ダクトの製造方法であって、
型締め後、金型内のセンターベンチ差込み部形成用スライド１０を突き出して、
サイドベンチ部のセンターベンチ差込み部を深絞り成形することを最も主要な特徴とする。
【０００７】
また、上記センターベンチ差込み部の深絞り成形が、スライド機構によるセンターベンチ差込み部形成用スライドの突出しによるものであることを第２の主要な特徴とする。
【０００８】
また、上記サイドベンチ部のセンターベンチ差込み部にオス爪部を形成することを第３の主要な特徴とする。
【０００９】
また、上記オス爪部の形成が、スライド機構によるオス爪部形成用スライドの突出しによるものであることを第４の主要な特徴とする。
【発明の効果】
【００１０】
本発明によれば、ブロー成形用金型の型抜き上の制約から、自動車用空調ダクトのセンターベンチ部とサイドベンチ部を一体に形成するのが困難な形状の場合でも自動車用空調ダクトの形成が可能となるという利点がある。
【図面の簡単な説明】
【００１１】
【図１】本発明に係る空調ダクト１の斜視図
【図２】型締め直後のサイドベンチ部の、図１のＡ−Ａ断面相当図（部分）
【図３】センターベンチ差込み部形成用スライド突出し後のサイドベンチ部の、図１のＡ−Ａ断面相当図（部分）
【図４】オス爪部形成用スライド突出し後のサイドベンチ部の、図１のＡ−Ａ断面相当図（部分）
【図５】離型後のサイドベンチ部の、図１のＡ−Ａ断面相当図
【図６】不要部分カット後のサイドベンチ部と、別途形成されたセンターベンチ部の、図１のＡ−Ａ断面相当図
【図７】サイドベンチ部とセンターベンチ部の組合わせ後の、図１のＡ−Ａ断面相当図
【発明を実施するための形態】
【００１２】
ブロー成形用金型の型抜き上の制約から、自動車用空調ダクトのセンターベンチ部とサイドベンチ部を一体に形成困難な形状の場合でもダクトの形成を可能にするという目的を、サイドベンチ部のセンターベンチ差込み部を深絞り成形することによって、
ブロー成形という安価な工法を用いて、経済性を損なわずに実現した。
【実施例１】
【００１３】
本発明の構成を発明の実施の形態に基づいて説明すると次の通りである。尚、従来例と同一の符号は同一の部材を表す。
【００１４】
図１は、本発明の１実施例を示す自動車用の組合せ式空調ダクト１の斜視図である。
２はセンターベンチ部、３はサイドベンチ部、１５，１５’（１５’は図６に図示）はメス爪部である。
【００１５】
図２ないし図６は図１のＡ−Ａ断面相当図である。
先ず、該空調ダクト１用の分割金型４，４’内に半溶融状態にあるポリエチレン等の熱可塑性樹脂のパリソン５を垂下させ該分割金型を型締めする。（型締め前の状態は図示せず）
【００１６】
尚、該パリソン５に適用される熱可塑性樹脂としてはポリエチレンに限らず、ポリプロピレンや他のポリオレフィン系樹脂、ポリエチレンテレフタレートやポリブチレンテレフタレート、ポリエチレンナフタレート等のポリエステル系樹脂、ポリアミド系樹脂、ポリアセタール系樹脂、シンジオタクチックポリスチレン、ポリスチレン、ゴム改質ポリスチレン、アクリロニトリル−スチレン共重合体、アクリロニトリル−ブタジエン−スチレン共重合体、変性ポリフェニレンオキサイド、ポリフェニレンサルファイド、ポリカーボネート等、ブロー成形が可能な樹脂であれば何でも良い。また、該熱可塑性樹脂にガラス繊維、炭素繊維、ボロン繊維、硫酸カルシウム粉末、炭酸カルシウム粉末等を混錬させた複合材であってもよい。
【００１７】
図２は型締め直後の断面図である。１０は該分割金型４’内に摺設されたセンターベンチ差込み部形成用スライド、１２，１２’は該分割金型４内に摺設されたオス爪部形成用スライドである。
【００１８】
該オス爪部形成用スライド１２，１２’は図示しない脱落防止構造（アンダーカット構造等）によって該分割金型４からの脱落を防止されている。
【００１９】
型締め後、スライド機構（図示せず）により該センターベンチ差込み部形成用スライド１０を矢印の向きに突き出して、センターベンチ差込み部９を深絞り成形した状態を図３に示す。
この状態では、該オス爪部形成用スライド１２，１２’と該センターベンチ差込み部形成用スライド１０との間に間隙があるため、該センターベンチ差込み部９は斜めに引っ張られている。
【００２０】
次に、スライド機構（図示せず）により該オス爪部形成用スライド１２，１２’を矢印の向きに突き出して、オス爪部１１，１１’を形成した状態を図４に示す。
この時、該センターベンチ差込み部９は斜めの状態から該オス爪部形成用スライド１２，１２’の突き出しによって接平面方向に圧縮されるため、その余肉は該オス爪部１１，１１’の肉の形成に費やされるので該オス爪部１１，１１’は中実の状態で形成される。
【００２１】
その後、該パリソン５の製品部分内に圧縮空気を吹き込んでブローアップし、樹脂の冷却、固化後該センターベンチ差込み部形成用スライド１０を該分割金型４’内に、該オス爪部形成用スライド１２，１２’を該分割金型４内にそれぞれ引っ込めて該サイドベンチ部３の成形品を離型し、図５に示すように該空調ダクト１の該サイドベンチ部３のブロー成形を完了させる。
【００２２】
図５に示される成形品のカットライン２０に沿って不要部をカット、除去した状態を図６に示す。
尚、２は該サイドベンチ部３同様に、別途形成した該センターベンチ部であり、１５，１５’は該メス爪部である。
【００２３】
次に、図６の矢印の方向に該センターベンチ部２を該サイドベンチ部３の該センターベンチ差込み部９に差込んで組合わせ、該メス爪部１５，１５’に該オス爪部１１，１１’をかみ合わせて該空調ダクト１を形成した状態を図７に示す。
【００２４】
尚、上記では該センターベンチ差込み部形成用スライド１０を突出す例を示したが、該センターベンチ差込み部形成用スライド１０の突出し方向が型締め方向と一致するダクト形状の場合には突出し状態の該センターベンチ差込み部形成用スライド１０の部分を分割金型の母型（おもがた）部分と一体に形成し、スライド機構を省略してもよい。
【００２５】
また、上記ではメス爪部１５，１５’とオス爪部１１，１１’の組が二組の場合を説明したがこれに限るものではなく、必要に応じて更に多くの組を設定してもよい。
【００２６】
以上実施例に述べたように本発明によれば、熱可塑性樹脂のブロー成形によって形成される自動車用空調ダクトの製造において、サイドベンチ部のセンターベンチ差込み部を深絞り成形したため、ブロー成形用金型の型抜き上の制約から、ダクトのセンターベンチ部とサイドベンチ部を一体に形成するのが困難な複雑な形状のダクトでも製造が可能となるという効果がある。
【産業上の利用可能性】
【００２７】
本発明は、自動車用空調ダクトの製造に利用可能である。
【符号の説明】
【００２８】
１    空調ダクト
２    センターベンチ部
３    サイドベンチ部
４，４’    分割金型
５    パリソン
９    センターベンチ差込み部
１０    センターベンチ差込み部形成用スライド
１１，１１’    オス爪部
１２，１２’    オス爪部形成用スライド
１５，１５’    メス爪部
２０    カットライン
【図１】
0005721075.tif 000002
【図２】
0005721075.tif 000003
【図３】
0005721075.tif 000004
【図４】
0005721075.tif 000005
【図５】
0005721075.tif 000006
【図６】
0005721075.tif 000007
【図７】
0005721075.tif 000008